(57)【特許請求の範囲】
【請求項１】
誘電損失材料を配合してなる圧縮弾性変形材からなる略四角錐形又は略四角錐台切り妻屋根形の電波吸収体と、シールドパネル壁から構成される電波暗室に於いて、該シールドパネル壁表面上に形成した抱持部分を有する係合受凹部に挿着して電波吸収壁を構成するための圧縮弾性変形材よりなる膨大した頭部を有する着脱型係合凸部を該電波吸収体の底部に形成した電波暗室用着脱型電波吸収体であって、
前記圧縮弾性変形材よりなる膨大した頭部を有する着脱型係合凸部が、前記電波吸収体底部に一体に、かつ前記電波吸収体底部の一組の対向する２辺に形成されていることを特徴とした電波暗室用着脱型電波吸収体。
【請求項２】
誘電損失材料を配合してなる圧縮弾性変形材からなる略四角錐形又は略四角錐台切り妻屋根形の電波吸収体と、シールドパネル壁から構成される電波暗室に於いて、抱持部分を有する複数の係合受凹部をシールドパネル壁表面上に複数形成しておき、前記電波吸収体の底部に一体に、かつ前記電波吸収体底部の一組の対向する２辺に形成した圧縮弾性変形材よりなる着脱型係合凸部の膨大した頭部を、該係合受凹部に対し押込むように押圧圧縮させて挿入することにより、電波吸収体をシールドパネル壁表面上に順次装着して電波吸収壁を形成することを特徴とした電波暗室用着脱型電波吸収体の施工方法。
【発明の詳細な説明】
【０００１】
【発明の属する技術分野】
本発明は、アンテナの諸特性の測定、電磁界強度の測定器の試験、妨害波放射の測定などに使用される電波暗室の内装部を構成する電波吸収体に関し、シールドパネル壁面上に据付けられる圧縮弾性変形材からなる略四角錐形又は略四角錐台切り妻屋根形の着脱型電波吸収体とその施工方法に関するものである
【０００２】
【従来の技術】
前記電波暗室は、従来室内での電波の反射をなくすために、電磁波遮蔽室の壁、天井、床面等に低周波狭帯域で良好な吸収性能を有する平板形状またはグリッド形状のフェライトタイル表面に、カーボンなどの誘電損失材料を配合した樹脂発泡体や無機繊維成型体からなる中空または充実型のピラミッド形状、楔型形状、多角形状、多波形状等立体形状の電波吸収体を配置した例えば、特開昭６１−１８９６９９や実開昭６０−１９００９９、特開平１０−４１６７５にみられるタイプが一般的である。これら従来の電波吸収体はその構造上、特に取付け施工の面に於いては考慮が為されておらず、遮蔽室の壁、天井、床に接着剤又はビス止め等の手段で取付けられた平板形状又はグリッド形状のフェライトタイル表面に対して、接着剤を塗布した立体形状の電波吸収体底部をそのまま圧着固定する方法が取られている。係る従来方式の電波吸収体の構造と施工方法では、接着剤が硬化または固化するまでの養生時間が長く又、一旦据付けられた電波吸収体の性能が不充分であり高性能のタイプと取り替える場合や、人為的ミスで破損し取替える場合、及び電波吸収体の除去、タイル面の清掃、再据付等の場合、取替施工が面倒で且つ施工手間が掛りすぎ、施工費が高くなるという問題点があった。
【０００３】
【０００４】
【発明が解決しようとする課題】
本発明は前記状況を鑑み、まず圧縮弾性変形材からなる略四角錐形又は略四角錐台切り妻屋根形の電波吸収体が一旦フェライトタイル等からなるシールドパネル壁面に、従来のように接着固定してしまうと、取り外しが非常に困難或いは不可能となることに着目し、着脱が容易な圧縮弾性変形材からなる略四角錐形又は略四角錐台切り妻屋根形の電波吸収体構造及び施工方法を得ることを課題とする。
【０００５】
【課題を解決するための手段】
前記課題の解決手段として、立体形状の電波吸収体をフェライトタイル等からなるシールドパネル壁表面に接着剤を用いて圧着固定する従来の施工方法に対し、機械的に着脱容易な形態の電波吸収体構造により取付け固定することを手段とする。即ち、誘電損失材料を配合してなる圧縮弾性変形材からなる略四角錐形又は略四角錐台切り妻屋根形の電波吸収体と、シールドパネル壁から構成される電波暗室に於いて、該電波吸収体の底部に一体に、かつ前記電波吸収体底部の一組の対向する２辺に形成した圧縮弾性変形材よりなる膨大した頭部を有する着脱型係合凸部を、該シールドパネル壁表面上に形成した抱持部分を有する係合受凹部に挿着して、電波吸収壁を構成するための電波暗室用着脱型電波吸収体の構造を課題解決の手段とする。
【０００６】
【０００７】
電波暗室用着脱型電波吸収体の施工方法としては、誘電損失材料を配合してなる圧縮弾性変形材からなる略四角錐形又は略四角錐台切り妻屋根形の電波吸収体とシールドパネル壁から構成される電波暗室に於いて、抱持部分を有する複数の係合受凹部をシールドパネル壁表面上に複数形成しておき、前記電波吸収体の底部に一体に、かつ前記電波吸収体底部の一組の対向する２辺に形成した圧縮弾性変形材よりなる着脱型係合凸部を膨大した頭部より、該係合受凹部に対し押込むように押圧圧縮させて挿入し、電波吸収体をシールドパネル壁表面上に順次装着して電波暗室の電波吸収壁を形成することも好適な施工方法として用いることができる。尚、ここで言う電波吸収壁とは、電波暗室の側壁表面に限らず、天井、床、室内に配置した設備機材の表面等、電波暗室内部のあらゆる表面部分を意味する。
【０００８】
前記電波暗室用着脱型電波吸収体の構造及び施工方法を採用することにより誘電損失材料を配合してなる圧縮弾性変形材からなる略四角錐形又は略四角錐台切り妻屋根形の電波吸収体をシールドパネル壁表面に取り付け固定できると同時に、着脱可能とする事ができる。従って、従来型電波吸収体に於ける接着固定に必要な養生時間がそのまま短縮され、電波吸収体の破損又は性能不充分、リニューアル等で取替える場合の再施工が容易となり、施工費の削減と電波暗室の性能維持・向上を図ることができる。
【０００９】
【００１０】
【００１１】
【００１２】
【発明の実施の形態】
本発明の第一の発明は、誘電損失材料を配合してなる、樹脂系発泡体や無機繊系成型体で、中空または充実型のピラミッド形状、楔形形状、多角形状または多波形状等、立体形状の電波吸収体を壁面に接着剤を用いて圧着固定する従来型電波吸収体の施工方法に対し、該電波吸収体の底部に着脱容易な挿着固定の構造形態を採用し、フェライトタイル等からなるシールドパネル壁の表面に取付け固定することを特徴としている。
【００１３】
取付け固定の一実施の形態として、図１には取付ける側の２種類の電波吸収体である、ピラミッド形（略四角錐形）の電波吸収体１の概略断面図（ａ−１）及び概略斜視図（ａ−２）並びに、頂部が平坦な略四角錐台切り妻屋根形の電波吸収体２の概略断面図（ｂ−１）及び概略斜視図（ｂ−２）を示す。又図２には、電波吸収体１，２が取付けられるシールドパネル壁側の固定用台座部３の概略断面図（ｃ−１）並びに概略斜視図（ｃ−２）を示す。図３は、図１の電波吸収体１の着脱型係合凸部４を図２の固定用台座部３に挿着させ、電波吸収体１を隣接させて連続してシールドパネル壁５に装着した状態であり、装着部分を中心とした概略部分断面図で示している。図４は、ピラミッド形の電波吸収体１を多数個、隙間無く設置した状態を示している。
【００１４】
一例として、図２に示す固定用台座部３の係合受凹部６に挿着させるための凸形状の突起物、即ち図１に示す着脱型係合凸部４を脚部７の先端部分に形成させている。着脱型係合凸部４は、固定用台座部３の係合受凹部６に挿入後電波吸収体１，２の固定性をより向上させる為に、図１の概略断面図（ａ−１）、（ｂ−１）に示す様に先端頭部を振子形に膨大させる形状とする事が好ましい。又、概略斜視図（ａ−２）、（ｂ−２）から明確なように先端部に着脱型係合凸部４を持つ脚部７は、電波吸収体１，２の底部に平行して２列、レール状に形成させている。着脱型係合凸部４は、電波吸収体１，２の成型加工時か、もしくは後加工によ底部に形成させることができる。又、無機繊維系成型体等の圧縮弾性回復の特徴を有する材料を選択することにより装着性及び固定性を向上させる。更に脚部７と着脱型係合凸部４とを本体成型加工と同時に形成する事が出来るため、製造コスト面からのメリットが大きい。
【００１５】
図１の略四角錐形の電波吸収体１、又は略四角錐台切り妻屋根形の電波吸収体２を装着性及び固定性よく連続的に設置する為には、図２に示す様に少なくとも２カ所の係合受凹部６を有する固定用台座部３の形状とする必要がある。概略断面図（ｃ−１）に示すように係合受凹部６の奥端部分は、電波吸収体１，２の着脱型係合凸部４の形状に合わせて略円状として、係合・装着時の挿入性及び、装着後の抱持性、固定性を良くする。又、概略斜視図（ｃ−２）に示す様に係合受凹部６は、脚部７のレール形状にあわせて、平行した２列の溝状に形成する。固定用台座部３は、軽量で柔軟性と強度があり、難燃性を有する素材が好ましく、例えばＡＢＳ樹脂、フェノールＦＲＰ樹脂、ポリアミド系樹脂で、押出又は射出成型等の手段で所望の形状に加工する事で製作する事が出来る。
【００１６】
図３は、電波吸収体１をシールドパネル壁５の表面に装着した部分状態を示した一実施例である。詳しくは、壁基材８にフェライトタイル９を貼着してシールドパネル壁５を形成した後、電波吸収体１の設置を考慮したフェライトタイル９上の適位置に、等ピッチで固定用台座部３が接着剤で接着固定されている。固定用台座部３に２カ所凹設された溝状の係合受凹部６の一方側に、電波吸収体１の一方側のレール状脚部７を着脱型係合凸部４の先端から圧縮しつつ挿入し、係合受凹部６の奥端部分に形成した略円状に拡大した空間の抱持部分で圧縮していた着脱型係合凸部４を弾性膨張させて装着状態を形成する。同様の方法で、隣接させて別の電波吸収体１を固定用台座部３のもう一方の係合受凹部６に装着する。このようにして壁面に電波吸収体１を連設することができる。
【００１７】
着脱型係合凸部４及びこれを挿入する先の係合受凹部６は、電波吸収体１，２の底部全面を対象として設定する必要はなく、図４に示す様に、例えば電波吸収体１を１個設置するのに対し、少なくとも２ヶ所あれば安定して設置することができる。固定用台座部３は、フェライトタイル９の表面に電波吸収体１の据付に対応する適合位置に一体で形成しておいても良いが、図３に示す例のように、同じく適合位置に接着剤又はビス止め等により取り付けておくことができる。固定用台座部３を接着する場合は、電波吸収体１を取り付ける前に、フェライトタイル９表面の対応する位置に、あらかじめエポキシ樹脂やＮＢＲ樹脂、ウレタン樹脂等の接着剤で取り付けておく。
【００１８】
略四角錐形の電波吸収体１、又は略四角錐台切り妻屋根形の電波吸収体２は、フェライトタイル９に取り付けたこの固定用台座部３に装着固定することで、図３、図４の様にフェライトタイル９表面に据付けられるが、従来型電波吸収体の接着による取り付けと異なり、左右に力を加えることで脱着が可能となり、この方式より略四角錐形の電波吸収体１、又は略四角錐台切り妻屋根形の電波吸収体２の交換が容易に行える様になった。又、フェライトタイル９表面に接着剤を使用して従来型電波吸収体を据付ける施工方法に於いて、接着剤の固化又は、硬化に数十分以上の養生時間が必要で、施工時間が長く効率的でなかったが、本発明の方式では、養生時間を必要とせず短時間で施工することが可能となった。
【００１９】
【００２０】
【００２１】
【００２２】
【実施例】
図１の電波吸収体１は、底辺部が縦横３００×３００ｍｍ、高さ６６０ｍｍのピラミッド形状で、脚部７の先端に半径８ｍｍの着脱型係合凸部４を備えている。電波吸収体２は、底辺部が縦横３００×３００ｍｍで頂部が縦横５０×３００ｍｍ、高さ６００ｍｍの略四角錐台の切り妻屋根形状で、脚部７の先端に半径８ｍｍの着脱型係合凸部４を備えている。電波吸収体１，２の内部はいずれも中空で、素材はすべて同一のかさ比重１００ｋｇ／ｍ３で、材質はフェノール樹脂をバインダーとした導電性カーボン含有のガラスウールで造られている。
【００２３】
図２の固定用台座部３は、底辺部が縦横５０×５０ｍｍで、底辺部から中心位置の最頂部までの高さが４０ｍｍ、係合受凹部６は、平行した２列の溝形状と、奥端部分にそれぞれ半径６ｍｍの略円状に拡大した空間で形成されている。固定用台座部３の材質はＡＢＳ樹脂である。
【００２４】
図３は、壁基材８の表面に縦横１００×１００ｍｍのフェライトタイル９を、エポキシ樹脂系接着剤で貼りつけてシールドパネル壁５を形成し、シールドパネル壁５上に縦方向３００ｍｍ、横方向３００ｍｍの等ピッチで固定用台座部３をエポキシ樹脂系接着剤で貼りつけ、複数の電波吸収体１を装着した状態を部分断面図で示している。
【００２５】
図４は、図３と同様に複数の電波吸収体１を装着した状態を、電波吸収体１の頂部側からみており、縦横１００×１００ｍｍのフェライトタイル９の表面に、固定用台座部３が縦方向３００ｍｍ、横方向３００ｍｍの等ピッチで接着されており、密着隣接して電波吸収体１が設置されている。
【００２６】
【００２７】
【発明の効果】
以上説明した様に、シールドパネル壁に対し本発明の電波吸収体を採用することにより、従来施工法の接着剤を使用する場合の養生時間が必要でなくなる上、挿入固定と同時に着脱も可能となる。従って、破損等による立体形状の電波吸収体の取り替え作業や、短時間で効率的な施工が出来る様になり、施工費の大巾な削減ができる。又、不良品の取替えが容易に出来る事から、電波暗室のメンテナンス性及び性能維持向上にもつながり、品質面でのプラス効果も大きい。
【００２８】
本発明の電波吸収体底部に形成した着脱型係合凸部に圧縮弾性変形材を用いた場合には、着脱型係合凸部の膨大した頭部と抱持部分を有する係合受凹部との係合に於いて抱持性、固定性が向上する効果がある。更に電波吸収体自体が圧縮弾性変形材であれば、着脱型係合凸部を一体で成型出来る効果を有する。
【００２９】
【図面の簡単な説明】
【図１】 ピラミッド形の電波吸収体の概略断面図（ａ−１）及び概略斜視図（ａ−２）並びに、略四角錐台切り妻屋根形の電波吸収体の概略断面図（ｂ−１）及び概略斜視図（ｂ−２）である。
【図２】 シールドパネル壁側の固定用台座部の概略断面図（ｃ−１）及び概略斜視図（ｃ−２）である。
【図３】 電波吸収体底部の着脱型係合凸部を固定用台座部に挿着させて、電波吸収体をシールドパネル壁に装着した概略部分断面図である。
【図４】 ピラミッド形電波吸収体を多数個、隙間無くシールドパネル壁に設置した状態の略示正面図である。
【符号の説明】
１，２ 電波吸収体
３ 固定用台座部
４ 着脱型係合凸部
５ シールドパネル壁
６ 係合受凹部
７ 脚部
８ 壁基材
９ フェライトタイル
【図１】
0004476408.tif 000002
【図２】
0004476408.tif 000003
【図３】
0004476408.tif 000004
【図４】
0004476408.tif 000005